(57)【要約】【課題】ソーラーパネルの厚みや重さに関わらず、能率的且つ確実強固にソーラーパネルを支持して取り付けることができる設置構造及び設置方法の提供を図る。【解決手段】屋根１１に対して固定されたレール支持部材２１及びスライドレール３１と、ソーラーパネル１３の裏面に設けられたパネルレール４１、５１とを備える。パネルレール４１、５１スライドレール３１に嵌め合わせて、スライドさせて、ソーラーパネル１３を所定位置に設置する。パネルレール４１、５１は、斜め方向に伸びるトラス部４３、５３を有しており、ソーラーパネル１３の自重やこれに加わる風圧に対しても、強固な支持構造を実現する。【選択図】図１
2014234588.tif 000002
【特許請求の範囲】
【請求項１】
基礎材に対して固定された複数のレール支持部材と、
前記複数のレール支持部材に対して固定されたスライドレールと、
ソーラーパネルの裏面に設けられたパネルレールとを備え、
前記ソーラーパネルは、前記パネルレールを前記スライドレールに嵌め合わせて、前記スライドレールに対して前記パネルレールを前記両レールの長手方向にスライドさせることにより設置位置に配置されたものである、ソーラーパネルの設置構造において、
前記パネルレールは、前記ソーラーパネルの左右方向に間隔を隔て複数本が配置されるものであり、
前記パネルレールは、前記ソーラーパネルに対して固定されるレール頂部と、前記レール頂部から下方に伸ばされたトラス部と、前記スライドレールに対してスライド可能に係合するレール係合部とを備え、
前記トラス部は、前記レール頂部から斜め下方に伸びるものであり、
１枚の前記ソーラーパネルにおいて、一つの前記パネルレールの前記トラス部は、その横方向に配置された他の前記パネルレールのトラス部との関係においてトラス構造を構成するものであることを特徴とするソーラーパネルの設置構造。
【請求項２】
前記スライドレールは、前記レール支持部材の支持部上面に対して固定されるスライド天部と、前記スライド天部の両横に配置されたスライドサイド部とを備え、
前記パネルレールは、前記ソーラーパネルの左右両側に配置される外レールを備え、
前記外レールは、前記ソーラーパネルに対して固定されるレール頂部と、前記レール頂部から下方に伸ばされたトラス部と、前記トラス部の下部から横方向に伸ばされて前記スライド天部に当接するレール天部と、前記レール天部から伸ばされて前記スライドサイド部に対してスライド可能に係合するレール係合部とを備え、
前記外レールの前記トラス部は、下方に向かうに従って前記ソーラーパネルの中央に向うように斜めに伸びるものであることを特徴とする請求項１記載のソーラーパネルの設置構造。
【請求項３】
前記スライドレールは、前記レール支持部材の支持部上面に対して固定されるスライド天部と、前記スライド天部の両横に配置されたスライドサイド部とを備え、
前記パネルレールは、前記ソーラーパネルの左右両側に配置される外レールと、前記左右両側の前記外レールの間に配置された少なくとも１本の中レールとを備え、
前記外レールは、前記ソーラーパネルに対して固定されるレール頂部と、前記レール頂部から下方に伸ばされたトラス部と、前記トラス部の下部から横方向に伸ばされて前記スライド天部に当接するレール天部と、前記レール天部から伸ばされて前記スライドサイド部に対してスライド可能に係合するレール係合部とを備え、
前記外レールの前記トラス部は、下方に向かうに従って前記ソーラーパネルの中央に向うように斜めに伸びるものであり、
前記中レールは、前記ソーラーパネルの裏面に対して固定されるレール頂部と、前記レール頂部から下方に伸ばされたトラス部と、前記トラス部の下部から横方向に伸ばされて前記スライド天部に当接するレール天部と、前記レール天部から伸ばされて前記スライドサイド部に対してスライド可能に係合するレール係合部とを備え、
前記中レールの前記トラス部は斜め下方に伸びるものであり、この中レールのトラス部の斜め下方に伸びる方向は、左右隣に配置される前記外レール又は前記中レールの前記トラス部の伸びる方向と左右方向において反対方向に伸びるものであることを特徴とする請求項１記載のソーラーパネルの設置構造。
【請求項４】
前記レール支持部材に対する前記スライドレールの固定箇所が前記トラス部の下方であることを特徴とする請求項１〜３の何れかに記載のソーラーパネルの設置構造。
【請求項５】
前記屋根は、はぜ継ぎ部を備えた折板屋根であり、
前記レール支持部材は、前記はぜ継ぎ部の上部に配置される支持天部と、前記支持天部の両横から下方に伸ばされた支持サイド部を備え、
一方の前記支持サイド部は、前記はぜ継ぎ部に当接する支持当接部を備え、他方の支持サイド部は締付ボルトを備え、前記締付ボルトを締め付けることによって、前記支持当接部と前記締付ボルトとの間で前記はぜ継ぎ部を挟み付けるものであることを特徴とする請求項１〜４の何れかに記載のソーラーパネルの設置構造。
【請求項６】
前記スライドレールの前記スライドサイド部は、前記スライド天部の両横から下方に伸ばされたものであり、
前記レール係合部は、前記レール天部の端から下方に伸ばされて前記スライドサイド部の外側に当接するレールサイド部と、前記レールサイド部の下部から上方に伸ばされて前記スライドサイド部の内側に配置されるレール折り返し部とを備えたことを特徴とする請求項２又は３に記載のソーラーパネルの設置構造。
【請求項７】
前記中レールは、前記レール頂部と、左右一対の前記トラス部と、左右一対の前記レール天部と、左右一対の前記レール係合部とが一体に形成されたものであり、
前記左右一対の前記トラス部は、下方に向かうに従い互いに遠ざかるように斜めに伸びるものであることを特徴とする請求項３記載のソーラーパネルの設置構造。
【請求項８】
はぜ継ぎ部を有する屋根に対して、レールを固定し、前記レールを介して、複数のソーラーパネルを請求項１〜７の何れかに記載の設置構造によって設置する方法において、
前記はぜ継ぎ部に対して前記レール支持部材を固定する工程と、
前記レール支持部材に対して前記スライドレールを固定する工程と、
前記ソーラーパネルの裏面に前記パネルレールを固定する工程と、
前記パネルレールを前記スライドレールに嵌め合わせて、前記スライドレールに対して前記パネルレールを前記両レールの長手方向にスライドさせて、前記ソーラーパネルの設置位置に配置する工程とを備えたことを特徴とするソーラーパネルの設置方法。
【発明の詳細な説明】
【技術分野】
【０００１】
本発明は、ソーラーパネルの設置構造及び設置方法に関するものである。
【背景技術】
【０００２】
従来より、特許文献１〜３に示すように、ソーラーパネルの設置構造及び設置方法に関しては種々の提案がなされている。これらの文献は、折板屋根のはぜ継ぎ部を利用してソーラーパネルを固定する技術を開示するものであり、特に、特許文献３にあっては、折板屋根のはぜ継ぎ部を利用して、レールを固定し、前記レールを介して、複数のソーラーパネルを設置する構造及び方法が示されている。この構造及び方法は、はぜ継ぎ部に対してレール支持部材を固定し、レール支持部材に対してスライドレールを固定し、ソーラーパネルの裏面にパネルレールを固定し、パネルレールをスライドレールに嵌め合わせて、スライドレールに対してパネルレールを両レールの長手方向にスライドさせて、ソーラーパネルの設置位置に配置して設置するものである。
【０００３】
ところが、この特許文献３の構造・方法では、その図８に示されるように、ソーラーパネルは、鋼板を、長手方向の両端部から折り曲げて正面視鍵爪形状の係合部を形成し、鋼板に少しこぶりのシート状の太陽電池シートを長手方向に沿って載せて接着層を介して接着し、この太陽電池パネルに鋼板と略同じ大きさの保護シートを重合して接着一体化した構成としている。この太陽電池シートは薄く軽量である点での利点はあるが、コスト面からは、従来の厚みの大きなソーラーパネルを用いる方が有利な場合もある。
【先行技術文献】
【特許文献】
【０００４】
【特許文献１】特開２０１１−２３６６１１号公報
【特許文献２】特開２０１１−１７１７５号公報
【特許文献３】特開２０１１−１７４３６１号公報
【発明の概要】
【発明が解決しようとする課題】
【０００５】
本発明は、ソーラーパネルの厚みや重さに関わらず、能率的且つ確実強固にソーラーパネルを支持して取り付けることができる設置構造及び設置方法の提供を図ることを目的とする。
【課題を解決するための手段】
【０００６】
本発明は、基礎材に対して固定された複数のレール支持部材と、前記複数のレール支持部材に対して固定されたスライドレールと、ソーラーパネルの裏面に設けられたパネルレールとを備え、前記ソーラーパネルは、前記パネルレールを前記スライドレールに嵌め合わせて、前記スライドレールに対して前記パネルレールを前記両レールの長手方向にスライドさせることにより設置位置に配置されたものである、ソーラーパネルの設置構造において、前記パネルレールは、前記ソーラーパネルの左右方向に間隔を隔て複数本が配置されるものであり、前記パネルレールは、前記ソーラーパネルに対して固定されるレール頂部と、前記レール頂部から下方に伸ばされたトラス部と、前記スライドレールに対してスライド可能に係合するレール係合部とを備え、前記トラス部は、前記レール頂部から斜め下方に伸びるものであり、１枚の前記ソーラーパネルにおいて、一つの前記パネルレールの前記トラス部は、その横方向に配置された他の前記パネルレールのトラス部との関係においてトラス構造を構成するものであることを特徴とするソーラーパネルの設置構造を提供するものである。
【０００７】
前記スライドレールは、前記レール支持部材の支持部上面に対して固定されるスライド天部と、前記スライド天部の両横に配置されたスライドサイド部とを備える。前記パネルレールは、前記ソーラーパネルの左右両側に配置される外レールを備える。前記外レールは、前記ソーラーパネルに対して固定されるレール頂部と、前記レール頂部から下方に伸ばされたトラス部と、前記トラス部の下部から横方向に伸ばされて前記スライド天部に当接するレール天部と、前記外レール天部から伸ばされて前記スライドサイド部に対してスライド可能に係合するレール係合部とを備えるものである。
【０００８】
そして、前記トラス部は、下方に向かうに従って前記ソーラーパネルの中央に向かうように斜めに伸びるものである。言い換えれば、外レールの前記トラス部は、前記レール頂部から内側下方へ向けて斜めに伸びる。そのため、前記レール頂部からはみ出すことがない。その結果、ソーラーパネルを左右に並べて配置する場合にも、ソーラーパネル間の間隔を大きく取らずとも、隣のソーラーパネルと干渉することがなく、スムーズにスライドさせて設置することができる。しかも、前記トラス部は、内側下方に斜めに伸びるため、１枚のソーラーパネルにおいて、横に配列された他のトラス部との関係でトラス構造を形成することができるため、ソーラーパネルの自重やこれに加わる風圧に対しても、強固な支持構造を実現する。
【０００９】
さらに、前記パネルレールは、前記左右両側の前記外レールの間に配置された中レールを備えることもでき、これにより、大判で自重の大きなソーラーパネルにあっても、安全に支持することができる。この中レールは、前記ソーラーパネルの裏面に対して固定されるレール頂部と、前記レール頂部から下方に伸ばされたトラス部と、前記トラス部の下部から横方向に伸ばされて前記スライド天部に当接するレール天部と、前記レール天部から伸ばされて前記スライドサイド部に対してスライド可能に係合するレール係合部とを備える。前記中レールの前記トラス部は、斜めに伸びるものであり、このトラス部の斜めに伸びる方向は、左右隣に配置される前記外レール又は前記中レールの前記トラスと伸びる方向と左右方向において反対方向に伸びるものである。その結果、１枚のソーラーパネルにおいて、横に配列されたトラス部との関係でトラス構造を形成することができるため、ソーラーパネルの自重やこれに加わる風圧に対しても、強固な支持構造を実現する。
【００１０】
その際、前記中レールは、前記レール頂部と、左右一対の前記トラス部と、左右一対の前記レール天部と、左右一対の前記レール係合部とを、一体に形成することができる。これら左右一対の前記トラス部は、下方に向かうに従い、互いに遠ざかるように斜めに伸びるものである。言い換えれば、中レールが略台形状を構成する一体の金具等で実施することができるものであり、台形の斜辺を構成する左右のトラス部同士がトラス構造となると共に、左右隣に配置される前記外レール又は前記中レールの前記トラスと伸びる方向と左右方向において反対方向に伸びるものである。そのため、１枚のソーラーパネルを支える複数のトラス部同士がトラス構造を構成して、強固な支持構造を実現することができる。
【００１１】
また、レール支持部材に対する前記スライドレールの固定箇所が前記トラス部の下方であることで、例えば、その固定をネジで行なった場合にも、斜めに伸びる前記トラス部は、そのネジの頭部等を避けることができる。従って、取り付け面積の小さな屋根のはぜ継ぎ部であっても、無理なく確実な固定を実現することができる。
【００１２】
また、前記屋根は、はぜ継ぎ部を備えた折板屋根であり、前記レール支持部材は、前記はぜ継ぎ部の上部に配置される支持天部と、前記支持天部の両横から下方に伸ばされた支持サイド部を備え、一方の前記支持サイド部は、前記はぜ継ぎ部に当接する支持当接部を備え、他方の支持サイド部は締付ボルトを備え、前記締付ボルトを締め付けることによって、前記支持当接部と前記締付ボルトとの間で前記はぜ継ぎ部を挟み付けるものとして実施することができる。この構造によれば、屋根に穴やネジを貫通させずとも施工が可能であり、ソーラーパネルの設置に起因する、雨漏りが生ずるおそれがない。
【００１３】
また、前記スライドレールの前記スライドサイド部は、前記スライド天部の両横から下方に伸ばされたものであり、前記レール係合部は、前記レール天部の端から下方に伸ばされて前記スライドサイド部の外側に当接するレールサイド部と、前記レールサイド部の下部から上方に伸ばされて前記スライドサイド部の内側に配置されるレール折り返し部とを備えたものとすることもできる。これによって、簡単な構造で、スライドの円滑性を阻害することなく、風圧等を下方や横から受けた場合にも十分な強度を示す設置構造を実現することができる。
【００１４】
さらに、本発明は、はぜ継ぎ部を有する屋根に対して、レールを固定し、前記レールを介して、複数のソーラーパネルを上記の設置構造によって設置する方法において、前記はぜ継ぎ部に対して前記レール支持部材を固定する工程と、前記レール支持部材に対して前記スライドレールを固定する工程と、前記ソーラーパネルの裏面に前記パネルレールを固定する工程と、前記パネルレールを前記スライドレールに嵌め合わせて、前記スライドレールに対して前記パネルレールを前記両レールの長手方向にスライドさせて、前記ソーラーパネルの設置位置に配置する工程とを備えたソーラーパネルの設置方法を提供するものである。
【発明の効果】
【００１５】
本発明は、種々のソーラーパネルを、能率的且つ確実に取り付けることができる設置構造及び設置方法の提供することができたものである。
【図面の簡単な説明】
【００１６】
【図１】本発明の実施の形態に係るソーラーパネルの設置構造におけるレール支持部材の固定状態を示す斜視図である。
【図２】同設置構造におけるスライドレールの固定状態を示す斜視図である。
【図３】（Ａ）同設置構造におけるソーラーパネルの背面図、（Ｂ）同設置構造におけるパネルレールの固定状態を示す斜視図である。
【図４】同設置構造におけるソーラーパネルの設置状態を示す斜視図である。
【図５】同設置構造の端面図である。
【図６】（Ａ）図５のＡ部分の拡大図、（Ｂ）さらにその要部拡大図である。
【図７】（Ａ）図５のＢ部分の拡大図、（Ｂ）さらにその要部拡大図である。
【発明を実施するための形態】
【００１７】
以下、図面に基づき本発明の実施の形態を説明する。
【００１８】
（概要）この実施の形態に係るソーラーパネルの設置方法の概要をまず説明する。
この設置方法は、下記の工程を備える。
（１）レール支持部材の固定工程
（２）スライドレールの固定工程
（３）パネルレールの固定工程
（４）スライド固定工程
【００１９】
（１）レール支持部材の固定工程は、屋根（この例では折板屋根１１）に対してレール支持部材２１を取り付ける工程であり、この例では、折板屋根１１に一定間隔で形成されているはぜ継ぎ部１２に対してレール支持部材２１を固定する工程である。
（２）スライドレールの固定工程は、レール支持部材２１に対してスライドレール３１を固定する工程である。
（３）パネルレールの固定工程は、ソーラーパネル１３の裏面に外レール４１を固定する工程である。
（４）スライド固定工程は、パネルレール４０をスライドレール３１に嵌め合わせて、スライドレール３１に対してパネルレール４０を両レールの長手方向にスライドさせて、ソーラーパネル１３の設置位置に配置する工程である。
【００２０】
（１）レール支持部材の固定工程（図１、図６、図７）
レール支持部材２１を、屋根（この例でははぜ継ぎ部１２を備えた折板屋根１１である）に対して取り付ける。はぜ継ぎ部１２は、折板屋根１１を構成する鋼板同士の接続部であり、接続される２枚の隣接する鋼板製の折板材１４同士を合わせて上方に逆Ｌ字状に折り曲げて接続されている。
【００２１】
レール支持部材２１は、はぜ継ぎ部１２の長手方向に適宜間隔で取り付けられる。例えば、図４、図５で示すソーラーパネル１３にあっては、縦1500mm弱×横1000mm弱である場合、前、中、後の３個を約７50mm間隔で設けることが適当であるが、１つのソーラーパネル１３に対して、４個以上配置してもよく、２個、或いは１個であってもよい。
【００２２】
図６、図７に示すように、このレール支持部材２１は、はぜ継ぎ部１２の上部に配置される支持天部２２と、支持天部２２の左右両側から下方に伸ばされた支持サイド部２３とを備える。一方（図の左方）の支持サイド部２３は、はぜ継ぎ部１２の左側面に当接する支持当接部２４を備える。この支持当接部２４は、逆Ｌ字状のはぜ継ぎ部１２の折り曲げ部分に当接できるように、支持サイド部２３の下端から横方向（図の左方）に伸びる。他方（図の右方）の支持サイド部２３はボルト受け部２５を備える。ボルト受け部２５は支持サイド部２３に形成された雌ねじ穴であり、締付ボルト２６と螺合する。なお、図６（Ｂ）及び図７（Ｂ）においては、各部材の関係を明らかにするために、本来当接している各部材の間に空白部分を置いて描いている。
【００２３】
取付に際しては、レール支持部材２１の支持当接部２４をはぜ継ぎ部１２の左側面から略Ｌ字状の折り曲げ箇所に当接させて、支持サイド部２３に螺合した締付ボルト２６の先端をはぜ継ぎ部１２の右側面に当接させて、締め付ける。これによって、支持当接部２４と締付ボルト２６との間ではぜ継ぎ部１２を挟み付けて固定するものであり、折板屋根１１に対して直接の加工を施すことなく、レール支持部材２１を取り付けることができる。
【００２４】
（２）スライドレールの固定工程（図２、図６、図７）
スライドレール３１をレール支持部材２１に固定する工程であり、この例では、スライドレール固定具３４を用いて、レール支持部材２１にスライドレール３１を固定する。スライドレール３１は、コ字状をなした金属製部材であり、全体がはぜ継ぎ部１２の長手方向に伸びるもので押し出し成形等で製造することもでき、或いは長板材を曲げ加工しても製造できる。スライドレール３１は、はぜ継ぎ部１２の長手方向に伸びる平板状のスライド天部３２と、スライド天部３２の左右両横から下方に伸びるスライドサイド部３３とを備える。
【００２５】
取付に際しては、前述のレール支持部材２１の支持天部２２上に、スライド天部３２を載置して、タッピングビス等のスライドレール固定具３４で支持天部２２とスライド天部３２とを固定する。固定箇所は、この例では、はぜ継ぎ部１２を挟んだ左右２箇所とされているが、４箇所などでもよく、適宜数に変更できる。また、スライドレール固定具３４は、タッピングビスの他、リベットや溶接などでもよい。
【００２６】
（３）パネルレールの固定工程（図３、図５、図６、図７）
ソーラーパネル１３の裏面にパネルレール４０（外レール４１、内レール５１）を固定する工程である。
【００２７】
まずソーラーパネル１３の前後左右の外周には、アミルミウムフレーム等の矩形状の外枠１８が設けられており、ソーラーパネル１３の裏面には必要に応じて補強材１７が横方向に渡される。補強材１７はアルミニウム製の角材やチャンネル材を用いることができるが、この例では断面「エ」字状の長尺部材を用いられている。
【００２８】
図３に示すように、補強材１７は補強に必要な適宜数を用いればよいが、この例では３本が配置されている。パネルレール４０は、ソーラーパネル１３の前後方向に配置されたもので、外レール４１は、ソーラーパネル１３の左右両横の外枠１８に沿って配置され、内レール５１は前後の外枠１８間に渡されてるようにして、ソーラーパネル１３の中央に縦方向に配置される。全体の強度が確保される場合、内レール５１は省略して実施することもでき、逆に強度に不安がある場合には、２本以上を配置してもよい。なお、図３（Ｂ）に示すように、はぜ継ぎ部１２の裏面に電気配線ボックス１５が配置されている場合には、これを避けて内レール５１の長さを短くしてもよく、また、これを左右方向に避けるようにしてもよい。パネルレール４０は、補強材１７又はソーラーパネル１３の本体に対して、タッピングビス等のスライドレール固定具１６で固定される。固定箇所は、この例では、各補強材１７について２箇所とされているが、４箇所などでもよく、適宜数に変更できる。また、スライドレール固定具１６は、タッピングビスの他、リベットや溶接などでもよい。
【００２９】
外レール４１は、レール頂部４２と、トラス部４３と、レール天部４４と、レール係合部４５とを備える。レール頂部４２は、ソーラーパネル１３（この例では補強材１７）に対して前記のスライドレール固定具１６で固定される部分である。トラス部４３は、レール頂部４２から下方に伸ばされた部分であり、レール天部４４は、トラス部４３の下部から横方向に伸ばされてスライドレール３１のスライド天部３２に当接する部分である。レール係合部４５は、レール天部４４から伸ばされてスライドサイド部３３に対してスライド可能に係合する部分である。
【００３０】
レール頂部４２の先端は、この例では上方に折り曲げられてレール立ち上げ部分４８となっており、ソーラーパネル１３又は補強材１７の側端面に沿わされているが、このレール立ち上げ部分４８は省略して実施することもできる。レール係合部４５は、レール天部４４の端から下方に伸ばされてスライドサイド部３３の外側に当接するレールサイド部４６と、レールサイド部４６の下部から上方に伸ばされてスライドサイド部３３の内側に配置されるレール折り返し部４７とを備える。トラス部４３は、下方に向かうに従って内側（パネルレール４０の中央方向）に向かって斜めに伸びるように傾斜している。
【００３１】
内レール５１は、レール頂部５２と、左右一対のトラス部５３と、左右一対のレール天部５４と、左右一対のレール係合部５５とを備える。レール頂部５２は、ソーラーパネル１３（この例では補強材１７）に対して前記のスライドレール固定具１６で固定される部分である。トラス部５３は、レール頂部５２の左右端から下方に伸ばされた部分であり、レール天部５４は、トラス部５３の下部から横方向に伸ばされてスライドレール３１のスライド天部３２に当接する部分である。レール係合部５５は、レール天部５４から伸ばされてスライドサイド部３３に対してスライド可能に係合する部分である。
【００３２】
上記のように、内レール５１は断面が左右対称形の台形に一体形成されており、レール頂部５２の中央１箇所で、スライドレール固定具１６によって固定されている。但し、左右を別々の部材で構成し、左右を別々のスライドレール固定具１６で固定するようにしてもよい。左右のトラス部５３は、上方から下方に向かうに従って、互いに横方向に離れる方向に傾斜している。
【００３３】
（４）スライド固定工程（図４、図５）
スライド固定工程は、上記のようにソーラーパネル１３の裏面に固定されたパネルレール４０（外レール４１、内レール５１）をスライドレール３１に嵌め合わせて、スライドレール３１に対してパネルレール４０を両レールの長手方向にスライドさせて、ソーラーパネル１３の設置位置に配置する工程である。
【００３４】
折板屋根１１に傾斜がある場合には、水上の上方側から下方側に嵌め入れてスライドさせることが作業性の観点からは望ましいが、反対方向から差し込むこともできる。ソーラーパネル１３はスライドレール３１の長手方向に沿って複数枚を次々と差し込んでいくことができ、その枚数は施工現場の大きさに応じて適宜変更できる。また、スライドレール３１は、横方向に複数本が配列され、複数のソーラーパネル１３を横に並べて配置することができるものであり、広い面積に対して多数のソーラーパネル１３を能率良く設置することができる。
【００３５】
なお、各列のソーラーパネル１３の端部（上端及び下端）は、バー材等を渡す等の適宜の固定材（図示せず）によって固定しておけば、中間のソーラーパネル１３には個別の固定手段を設ける必要はない。
【００３６】
（トラス構造）図５に示すように、完成した設置構造にあっては、外レール４１のトラス部４３と内レール５１のトラス部５３とによってトラス構造が構成される。外レール４１のトラス部４３は、下方に向かうに従ってソーラーパネル１３の中央に向かって斜めに伸びるものである。言い換えれば、トラス部４３は内側下方に斜めに伸びるため、レール頂部４２からはみ出すことがなく、ソーラーパネル１３を左右に並べて配置する場合にも、ソーラーパネル１３間の間隔を大きく取らずとも（具体的には、20mm以下であっても接触しないものであれば可能）、隣のソーラーパネル１３と干渉することがなく、スムーズにスライドさせて設置することができる。
【００３７】
外レール４１のトラス部４３は、内側下方に斜めに伸びるため、１枚のソーラーパネル１３において、横に配列された他のトラス部４３、トラス部５３との関係でトラス構造を形成することができる。具体的には、図５において右から左へ説明すると、ソーラーパネル１３の左端の外レール４１のトラス部４３は右下がりに傾斜し、中央の内レール５１の左側のトラス部５３は右上がりに傾斜し、中央の内レール５１の右側のトラス部５３は右下がりに傾斜し、ソーラーパネル１３の右端の外レール４１のトラス部４３は右上がりに傾斜している。このように１枚のソーラーパネル１３において、異なるパネルレール４０（外レール４１及び内レール５１）に設けられたトラス部４３、５３によってトラス構造が構成される。その結果、ソーラーパネル１３の自重やこれに加わる風圧に対しても、強固な支持構造を実現することができる。
【００３８】
この例では内レール５１を備えたものとし、大判で自重の大きなソーラーパネルにあっても、安全に風圧などを受けても撓みが生じないように支持することができるようにしたが、内レール５１の数をさらに増やすことも可能であり、反対に小さなソーラーパネルの場合には、内レール５１を省略して実施することもできる。省略した場合にも、ソーラーパネル１３の左端の外レール４１のトラス部４３は右下がりに傾斜し、ソーラーパネル１３の右端の外レール４１のトラス部４３は右上がりに傾斜しているため、トラス構造は維持される。なお、傾斜の向きは、右上がりと右下がりとが交互に配列されることが望ましいが、右上がりを２本続け配置し、その隣に右下がりを２本配置すると言ったように、全体でトラス構造が維持されればよい。傾斜の角度は、レール係合部４５度が適当であるが、３０〜６０度などに変更して実施することもできる。なお、図示のものとは反対に、ソーラーパネル１３の左端の外レール４１のトラス部４３を左下がりに傾斜させ、ソーラーパネル１３の右端の外レール４１のトラス部４３を左上がりに傾斜させるようにし、さらに、中レール５１のトラス部５３もそれぞれ図示のものとは左右方向において反対の方向に伸びるものとして実施することもできる。
【００３９】
また、レール支持部材２１とスライドレール３１とを固定するスライドレール固定具３４は、外レール４１のトラス部４３又は内レール５１のトラス部５３部の下方にてなされている。そのため、スライドレール固定具３４のネジ頭部等が少々上方に突出したとしても、トラス部４３、トラス部５３は、そのネジ頭部等を避けることができ、干渉するおそれが抑制される。従って、レール支持部材２１、スライドレール３１及びパネルレール４０を大きなものとせずとも、コンパクトに無理なく確実な固定を実現することができる。また、レール係合部４５は、レールサイド部４６とレール折り返し部４７とを備えたものとすることで、スライドの円滑性を阻害することなく、風圧等を下方や横から受けた場合にも十分な強度を示す設置構造を実現することができたものである。
【００４０】
取り付けの対象となるソーラーパネルは、図示実施の形態に示したような厚みの比較的大きなものであってもよいが、特許文献３に示されたようなシート状のソーラーパネルを鋼板上に配置したものなど比較的厚みの小さなものであってもよい。また、実施の形態では、はぜ継ぎ部を有する屋根に対する固定例を示したが、これに限らず、種々の形態の屋根、水平な屋上、垂直又は傾斜した壁面、地上等の種々の基礎材に対する固定構造として実施することができる。
【符号の説明】
【００４１】
１１  折板屋根
１２  はぜ継ぎ部
１３  ソーラーパネル
１４  折板材
１５  電気配線ボックス
１６  スライドレール固定具
１７  補強材
１８  外枠
２１  レール支持部材
２２  支持天部
２３  支持サイド部
２４  支持当接部
２５  ボルト受け部
２６  締付ボルト
３１  スライドレール
３２  スライド天部
３３  スライドサイド部
３４  スライドレール固定具
４０  パネルレール
４１  外レール
４２  レール頂部
４３  レールトラス部
４４  レール天部
４５  レール係合部
４６  レールサイド部
４７  レール折り返し部
４８  レール立ち上げ部分
５１  内レール
５２  レール頂部
５３  レールトラス部
５４  レール天部
５５  レール係合部
５６  レールサイド部
５７  レール折り返し部
【図１】
2014234588.tif 000003
【図２】
2014234588.tif 000004
【図３】
2014234588.tif 000005
【図４】
2014234588.tif 000006
【図５】
2014234588.tif 000007
【図６】
2014234588.tif 000008
【図７】
2014234588.tif 000009